【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
焦点検出機能が付与される機能画素である第１の画素と、前記焦点検出機能が付与されていない非機能画素である第２の画素とからなる複数の画素を含み、前記機能画素と前記非機能画素とでは、互いに異なる２種類の露光時間が適用される撮像素子を用いて得られた画像データに対して画像処理を施す画像処理装置であって、
前記画像データに存在する像ブレ量を推定するブレ量推定部と、
前記画像データに含まれる前記第１の画素の露光時間と前記第２の画素の露光時間との差である露光時間差を算出する露光時間差算出部と、
前記露光時間差と前記像ブレ量とに基づいて、対象となる前記第１の画素が検出した光量を用いる第１の割合と、前記対象となる前記第１の画素の周辺に位置する前記第２の画素が検出した光量を用いる第２の割合とを決定する混合割合算出部と、
前記像ブレ量と、前記露光時間差と、前記第１の割合と、前記第２の割合とに基づいて、前記画像データに対して補正を施す補正部と
を備える画像処理装置。
【請求項２】
前記混合割合算出部は、前記露光時間差が大きい程、前記第２の割合を高くする、請求項１に記載の画像処理装置。
【請求項３】
前記混合割合算出部は、前記像ブレ量が大きい程、前記第２の割合を高くする、請求項１又は２記載の画像処理装置。
【請求項４】
前記ブレ量推定部が算出する前記像ブレ量と、前記第１の画素の露光時間及び前記第２の画素の露光時間とに基づいて、前記補正の内容を決定する補正方法判断部をさらに備え、
前記補正部は、前記補正の内容に基づいて、前記画像データに対して前記補正を施す、
請求項１に記載の画像処理装置。
【請求項５】
前記補正方法判断部は、前記露光時間差があり、かつ、前記像ブレ量があると判断したときに、補正を行うと決定し、
前記補正部は、前記補正方法判断部が前記補正を行うと決定したときに、対象となる前記第１の画素が検出した光量と、前記対象となる前記第１の画素の周辺に位置する前記第２の画素が検出した光量とを用いて前記対象となる前記第１の画素が検出した光量について補正を行う、
請求項４に記載の画像処理装置。
【請求項６】
前記ブレ量推定部は、前記画像データの全体に均一に生じている像ブレと、前記画像データの一部に局所的に生じている像ブレとに基づいて、前記像ブレ量を推定する、請求項１に記載の画像処理装置。
【請求項７】
前記撮像素子と、
請求項１乃至６のうち何れか１項記載の画像処理装置と
を備える撮像装置。
【請求項８】
前記機能画素と前記非機能画素とで異なる露光時間で露光制御を行う露光制御部をさらに備える請求項７記載の撮像装置。
【請求項９】
前記露光制御部は、被写体の輝度に応じて、前記機能画素の露光時間と前記非機能画素の露光時間とを異ならせる請求項８に記載の撮像装置。
【請求項１０】
前記露光制御部は、前記被写体が低輝度であれば前記非機能画素の前記露光時間よりも前記機能画素の前記露光時間を長くし、前記被写体が高輝度であれば、前記非機能画素の前記露光時間よりも前記機能画素の前記露光時間を短くする、請求項９に記載の撮像装置。
【請求項１１】
焦点検出機能が付与される機能画素である第１の画素と、前記焦点検出機能が付与されていない非機能画素である第２の画素とからなる複数の画素を含む撮像素子であって、前記機能画素と前記非機能画素とでは、互いに異なる露光時間が適用される前記撮像素子を用いて得られた画像データに対する画像処理方法であって、
前記画像データに存在する像ブレ量を推定する工程と、
前記画像データに含まれる前記第１の画素の露光時間と前記第２の画素の露光時間との差である露光時間差を算出する工程と、
前記露光時間差と前記像ブレ量とに基づいて、対象となる前記第１の画素が検出した光量を用いる第１の割合と、前記対象となる前記第１の画素の周辺に位置する前記第２の画素が検出した光量を用いる第２の割合とを決定する工程と、
前記像ブレ量と、前記露光時間差と、前記第１の割合と、前記第２の割合とに基づいて、前記画像データに対して補正を施す工程と
を含む画像処理方法。
【請求項１２】
焦点検出機能が付与される機能画素である第１の画素と、前記焦点検出機能が付与されていない非機能画素である第２の画素とからなる複数の画素を含む撮像素子であって、前記機能画素と前記非機能画素とでは、互いに異なる露光時間が適用される前記撮像素子を用いて得られた画像データに対する画像処理をコンピュータに実行させるための画像処理プログラムであって、
前記画像データに存在する像ブレ量を推定する工程と、
前記画像データに含まれる前記第１の画素の露光時間と前記第２の画素の露光時間との差である露光時間差を算出する工程と、
前記露光時間差と前記像ブレ量とに基づいて、対象となる前記第１の画素が検出した光量を用いる第１の割合と、前記対象となる前記第１の画素の周辺に位置する前記第２の画素が検出した光量を用いる第２の割合とを決定する工程と、
前記像ブレ量と、前記露光時間差と、前記第１の割合と、前記第２の割合とに基づいて、前記画像データに対して補正を施す工程と
をコンピュータに実行させるための画像処理プログラム。
【手続補正２】
【補正対象書類名】明細書
【補正対象項目名】０００６
【補正方法】変更
【補正の内容】
【０００６】
前記目的を果たすため、本発明の一態様による、画像処理装置は、焦点検出機能が付与される機能画素である第１の画素と、前記焦点検出機能が付与されていない非機能画素である第２の画素とからなる複数の画素を含み、前記機能画素と前記非機能画素とでは、互いに異なる２種類の露光時間が適用される撮像素子を用いて得られた画像データに対して画像処理を施す画像処理装置であって、前記画像データに存在する像ブレ量を推定するブレ量推定部と、前記画像データに含まれる前記第１の画素の露光時間と前記第２の画素の露光時間との差である露光時間差を算出する露光時間差算出部と、前記露光時間差と前記像ブレ量とに基づいて、対象となる前記第１の画素が検出した光量を用いる第１の割合と、前記対象となる前記第１の画素の周辺に位置する前記第２の画素が検出した光量を用いる第２の割合とを決定する混合割合算出部と、前記像ブレ量と、前記露光時間差と、前記第１の割合と、前記第２の割合とに基づいて、前記画像データに対して補正を施す補正部とを備える。
【手続補正３】
【補正対象書類名】明細書
【補正対象項目名】０００８
【補正方法】変更
【補正の内容】
【０００８】
前記目的を果たすため、本発明の一態様によれば、画像処理方法は、焦点検出機能が付与される機能画素である第１の画素と、前記焦点検出機能が付与されていない非機能画素である第２の画素とからなる複数の画素を含む撮像素子であって、前記機能画素と前記非機能画素とでは、互いに異なる露光時間が適用される前記撮像素子を用いて得られた画像データに対する画像処理方法であって、前記画像データに存在する像ブレ量を推定する工程と、前記画像データに含まれる前記第１の画素の露光時間と前記第２の画素の露光時間との差である露光時間差を算出する工程と、前記露光時間差と前記像ブレ量とに基づいて、対象となる前記第１の画素が検出した光量を用いる第１の割合と、前記対象となる前記第１の画素の周辺に位置する前記第２の画素が検出した光量を用いる第２の割合とを決定する工程と、前記像ブレ量と、前記露光時間差と、前記第１の割合と、前記第２の割合とに基づいて、前記画像データに対して補正を施す工程とを含む。
【手続補正４】
【補正対象書類名】明細書
【補正対象項目名】０００９
【補正方法】変更
【補正の内容】
【０００９】
前記目的を果たすため、本発明の一態様によれば、画像処理プログラムは、焦点検出機能が付与される機能画素である第１の画素と、前記焦点検出機能が付与されていない非機能画素である第２の画素とからなる複数の画素を含む撮像素子であって、前記機能画素と前記非機能画素とでは、互いに異なる露光時間が適用される前記撮像素子を用いて得られた画像データに対する画像処理をコンピュータに実行させるための画像処理プログラムであって、前記画像データに存在する像ブレ量を推定する工程と、前記画像データに含まれる前記第１の画素の露光時間と前記第２の画素の露光時間との差である露光時間差を算出する工程と、前記露光時間差と前記像ブレ量とに基づいて、対象となる前記第１の画素が検出した光量を用いる第１の割合と、前記対象となる前記第１の画素の周辺に位置する前記第２の画素が検出した光量を用いる第２の割合とを決定する工程と、前記像ブレ量と、前記露光時間差と、前記第１の割合と、前記第２の割合とに基づいて、前記画像データに対して補正を施す工程とをコンピュータに実行させる。